(57)【特許請求の範囲】
【請求項１】
予め記憶されている動画像を再生する動画再生装置において、
前記動画像を表示する表示手段と、
人物の動作が撮影された動作解析用の動画像から人物の動作形態をパターン認識する認識手段と、
前記表示手段に、前記人物の動作の解析に供する指標であって、前記認識手段によりパターン認識された動作形態に対応する種類の指標を重ねた状態で前記動作解析用の動画像を表示させる表示制御手段と
を備えたことを特徴とする動画再生装置。
【請求項２】
前記表示制御手段は、前記認識手段によりパターン認識された動作形態に対応する種類の指標として、前記表示手段に前記人物の撮影方向に応じて予め用意されている複数種類の指標のいずれかを重ねた状態で前記動作解析用の動画像を表示させることを特徴とする請求項１記載の動画再生装置。
【請求項３】
前記表示制御手段が前記動作解析用の動画像に重ねて表示手段に表示させる指標は、１又は複数の補助ラインから構成されることを特徴とする請求項１又は２記載の動画再生装置。
【請求項４】
前記表示手段にフレーム画像に重ねて表示された前記指標を構成する補助ラインの表示位置を調整する位置調整手段を更に備え、
前記表示制御手段は、前記表示手段に、前記位置調整手段によって補助ラインの表示位置が調整された後の前記指標を重ねた状態で前記動作解析用の動画像を表示させることを特徴とする請求項１又は２記載の動画再生装置。
【請求項５】
前記位置調整手段は、前記表示手段に前記フレーム画像に重ねて表示された前記指標を構成する補助ラインの表示位置を使用者の指示に応じて調整することを特徴とする請求項４記載の動画再生装置。
【請求項６】
前記動作解析用の動画像の再生に先立ち、前記認識手段によりパターン認識された動作形態に対応する種類の指標を、前記動作解析用の動画像を構成するフレーム画像に重ねて前記表示手段に表示させる指標表示手段を更に備え、
前記位置調整手段は、前記指標表示手段により表示された前記指標を構成する補助ラインの表示位置を調整することを特徴とする請求項４又は５記載の動画再生装置。
【請求項７】
被写体を撮像する撮像手段と、
前記撮像手段により連続して撮像された一連の画像からなる動画像を記憶する画像記憶手段と、を更に備え、
前記認識手段は、前記画像記憶手段に記憶されている動画像であって、人物の動作が撮影された動作解析用の動画像から人物の動作形態をパターン認識することを特徴とする請求項１乃至６いずれか記載の動画再生装置。
【請求項８】
予め記憶されている動画像であって人物の動作が撮影された動作解析用の動画像の再生に先立ち、当該動画像から人物の動作形態をパターン認識するステップと、
前記人物の動作の解析に供する指標であって、パターン認識した人物の動作形態に対応する種類の指標を重ねた状態で前記動作解析用の動画像を表示するステップと
を含むことを特徴とする動画再生方法。
【請求項９】
予め記憶されている動画像を再生する動画再生装置が有するコンピュータを、
人物の動作が撮影された動作解析用の動画像から人物の動作形態をパターン認識する認識手段、
前記動画像を表示する表示手段に、前記人物の動作の解析に供する指標であって、前記認識手段によりパターン認識された動作形態に対応する種類の指標を重ねた状態で前記動作解析用の動画像を表示させる表示制御手段
として機能させることを特徴とするプログラム。
【発明の詳細な説明】
【技術分野】
【０００１】
本発明は、例えばデジタルカメラに用いて好適な動画再生技術に関するものである。
【背景技術】
【０００２】
従来、例えば下記特許文献１には、ゴルフクラブをスイングする人物を撮影した映像（以下、動画像という。）の再生時に、ゴルフクラブのスイングフォームの解析（チェック）に際して指標となる基準線を動画像に重ねて表示する撮影・再生装置が開示されている。また、下記特許文献１には、動作確認用の基準線の表示位置を調整可能とする構成、基準線の種類を表示画面の上下や左右の辺に平行する縦線や横線とする他、表示画面の上下や左右の辺に対して傾きを有する斜線とする構成が開示されている。
【先行技術文献】
【特許文献】
【０００３】
【特許文献１】特開平１０−２０１８９８号公報
【発明の概要】
【発明が解決しようとする課題】
【０００４】
しかしながら、上記の撮影・再生装置においては、基準線の種類が固定されているため、動画像において解析できるスイングフォームは、予め決められた方向から人物を見たときのスイングフォームに限定される。無論、係る不具合は、ユーザが、動画再生時に表示する基準線の種類を撮影方向等に応じて変更可能な構成とすれば解消することができる。
【０００５】
しかし、仮に基準線の種類を変更可能とした場合であっても、動画像の再生時に動画像の撮影方向に応じて基準線の種類をいちいち変更するのでは、ユーザがスイングフォームの解析に要する作業が煩雑となるという問題があった。
【０００６】
本発明は、かかる問題点に鑑みてなされたものであり、動画像において人物の特定の動作を解析する際の作業性を向上させることを目的とする。
【課題を解決するための手段】
【０００７】
前記課題を解決するため、請求項１記載の発明に係る動画再生装置にあっては、予め記憶されている動画像を再生する動画再生装置において、前記動画像を表示する表示手段と、人物の動作が撮影された動作解析用の動画像から人物の動作形態をパターン認識する認識手段と、前記表示手段に、前記人物の動作の解析に供する指標であって、前記認識手段によりパターン認識された動作形態に対応する種類の指標を重ねた状態で前記動作解析用の動画像を表示させる表示制御手段とを備えたことを特徴とする。
【０００８】
また、請求項２記載の発明に係る動画再生装置にあっては、前記表示制御手段は、前記認識手段によりパターン認識された動作形態に対応する種類の指標として、前記表示手段に前記人物の撮影方向に応じて予め用意されている複数種類の指標のいずれかを重ねた状態で前記動作解析用の動画像を表示させることを特徴とする。
【０００９】
また、請求項３記載の発明に係る動画再生装置にあっては、前記表示制御手段が前記動作解析用の動画像に重ねて表示手段に表示させる指標は、１又は複数の補助ラインから構成されることを特徴とする。
【００１０】
また、請求項４記載の発明に係る動画再生装置にあっては、前記表示手段にフレーム画像に重ねて表示された前記指標を構成する補助ラインの表示位置を調整する位置調整手段を更に備え、前記表示制御手段は、前記表示手段に、前記位置調整手段によって補助ラインの表示位置が調整された後の前記指標を重ねた状態で前記動作解析用の動画像を表示させることを特徴とする。
また、請求項５記載の発明に係る動画再生装置にあっては、前記位置調整手段は、前記表示手段に前記フレーム画像に重ねて表示された前記指標を構成する補助ラインの表示位置を使用者の指示に応じて調整することを特徴とする。
また、請求項６記載の発明に係る動画再生装置にあっては、前記動作解析用の動画像の再生に先立ち、前記認識手段によりパターン認識された動作形態に対応する種類の指標を、前記動作解析用の動画像を構成するフレーム画像に重ねて前記表示手段に表示させる指標表示手段を更に備え、前記位置調整手段は、前記指標表示手段により表示された前記指標を構成する補助ラインの表示位置を調整することを特徴とする。
【００１１】
また、請求項７記載の発明に係る動画再生装置にあっては、被写体を撮像する撮像手段と、前記撮像手段により連続して撮像された一連の画像からなる動画像を記憶する画像記憶手段と、を更に備え、前記認識手段は、前記画像記憶手段に記憶されている動画像であって、人物の動作が撮影された動作解析用の動画像から人物の動作形態をパターン認識することを特徴とする。
【００１２】
また、請求項８記載の発明に係る動画再生方法にあっては、予め記憶されている動画像であって人物の動作が撮影された動作解析用の動画像の再生に先立ち、当該動画像から人物の動作形態をパターン認識するステップと、  前記人物の動作の解析に供する指標であって、パターン認識した人物の動作形態に対応する種類の指標を重ねた状態で前記動作解析用の動画像を表示するステップとを含むことを特徴とする。
【００１３】
また、請求項９記載の発明に係るプログラムにあっては、予め記憶されている動画像を再生する動画再生装置が有するコンピュータを、人物の動作が撮影された動作解析用の動画像から人物の動作形態をパターン認識する認識手段、前記動画像を表示する表示手段に、前記人物の動作の解析に供する指標であって、前記認識手段によりパターン認識された動作形態に対応する種類の指標を重ねた状態で前記動作解析用の動画像を表示させる表示制御手段として機能させることを特徴とする。
【発明の効果】
【００１４】
本発明によれば、動画像において人物の特定の動作を解析する際の作業性を向上させることが可能となる。
【図面の簡単な説明】
【００１５】
【図１】本発明に係るデジタルカメラのブロック図である。
【図２】（ａ）は第１の指標を示す図、（ｂ）は第２の指標を示す図である。
【図３】基準変移データを示す概念図である。
【図４】動画再生処理を示すフローチャートである。
【図５】ライン位置修正処理を示すフローチャートである。
【図６】第１の指標の修正手順を示す説明図である。
【図７】図６に続く説明図である。
【図８】第２の指標の修正手順を示す説明図である。
【図９】図８に続く説明図である。
【図１０】図９に続く説明図である。
【発明を実施するための形態】
【００１６】
以下、本発明の実施形態について説明する。本実施形態は、静止画像と動画像とが撮影可能であるとともに、本発明の動画再生装置としての機能を備えたデジタルカメラに関するものである。なお、本実施形態のデジタルカメラは、人物の動作が撮影された動作解析用の動画像の再生時に、特定の動作の解析に供する二次元情報からなる指標（詳細については後述する。）を動画像に重ねて表示する機能を有している。
【００１７】
以下、本実施形態を図に従い説明する。図１は、本実施形態のデジタルカメラ１の概略構成を示すブロック図であり、デジタルカメラ１は以下の各部から構成される。すなわちデジタルカメラ１は、主として撮影光学系２と、撮像部３、ＣＤＳ／ＡＤＣ４、画像処理部５、ドライバ６、表示部７、ＣＰＵ（Central Processing Unit）８、ワークメモリ９、プログラム記憶部１０、操作入力部１１、外部Ｉ／Ｆ１２、外部記憶部１３によって構成されている。
【００１８】
撮影光学系２は、ズームレンズ群、フォーカスレンズ群を含み、図示しないレンズモータにより、各々のレンズ群の位置がＣＰＵ８によって適宜制御される。
【００１９】
撮像部３は、撮影光学系２で集光された光学像を光電変換し、ＲＧＢ成分からなる画像信号として出力するＣＣＤ（Charge Coupled Device）やＣＭＯＳ（Complementary Meta1 0xide Semiconductor）等の固体撮像素子である。
【００２０】
ＣＤＳ／ＡＤＣ４は、ＣＤＳ（Correlated Double Sampling）と、ＡＤＣ（Analog-to-Digital Converter）とから構成され、撮像部３から出力された画像信号のノイズを除去してデジタル信号、つまり画像データに変換する。
【００２１】
画像処理部５は、ＣＤＳ／ＡＤＣ４から入力する画像データを蓄積するバッファメモリを含み、バッファメモリに蓄積された画像データにガンマ補正や、撮影光原の種類に応じたホワイトバランス調整、画素毎のＲ，Ｇ，Ｂの色成分データの生成、生成したＲＧＢデータをＹＵＶデータに変換するＹＵＶ変換等の種々の画像処理を行う。
【００２２】
さらに、画像処理部５はＣＰＵ８の命令に従い画像データの圧縮及び伸張を行う。すなわち画像処理部５は、静止画モードでの撮影時には、ＹＵＶデータに変換後の画像データをＪＰＥＧ方式等により圧縮符号化する。圧縮後の画像データは、ＣＰＵ８によって所定の情報を付加された後、外部記憶部１３に静止画ファイルとして記録される。
【００２３】
また、画像処理部５は、動画モードでの撮影時には、順次生成したＹＵＶデータをＭＰＥＧ方式等によりフレーム毎に圧縮符号化する。圧縮後の画像データは、ＣＰＵ８によって所定の情報を付加された後、外部記憶部１３に動画ファイルとして記録される。
【００２４】
さらに、画像処理部５は、再生モードにおいては、ＣＰＵ８によって外部記憶部１３から読み出された圧縮状態の静止画データまたは動画データを復号し、ＣＰＵ８へ供給する。
【００２５】
外部記憶部１３は、デジタルカメラ１の図示しない本体に設けられているカードスロットに着脱自在に装着されたカード型の記録メディアである。外部Ｉ／Ｆ１２は、外部記憶部１３とＣＰＵ８との間におけるデータの入出力を制御する入出力インターフェースである。
【００２６】
表示部７は、例えばＴＦＴ型のカラー液晶パネルにより構成され、ドライバ６により駆動されることによって種々の画像や、その他の情報を表示する。すなわち表示部７は、静止画モード、又は動画モードでの撮影待機状態、さらに動画モードでの撮影中においては、画像処理部５により生成されたＹＵＶデータに基づく画像をスルー画像として表示する。また、表示部７は、再生モードにおいては、画像処理部５によって伸張された後のＹＵＶデータに基づく静止画像や動画像を表示する。
【００２７】
ワークメモリ９はＳＤＲＡＭ（Synchronous dynamic random-access memory）等の揮発性メモリである。プログラム記憶部１０はＲＯＭ（Read Only Memory）である。プログラム記憶部１０には、ＣＰＵ８にデジタルカメラ１を制御させるための種々のプログラムや、データが格納されている。プログラム記憶部１０に格納されている種々のプログラムには、ＣＰＵ８を本発明の認識手段、表示制御手段、指標表示手段、位置調整手段として機能させることによって、ＣＰＵ８に後述する処理を行わせるプログラムが含まれている。
【００２８】
また、プログラム記憶部１０に格納されているデータには、以下に述べるラインデータ１０ａと基準変移データ１０ｂとが含まれている。
【００２９】
ラインデータ１０ａは、ＣＰＵ８が、動画像の再生時に必要に応じて表示する指標を構成する後述する複数本の補助ラインを規定するデータである。デジタルカメラ１において表示可能な指標は、ゴルフクラブのスイングフォームの確認に寄与するものである。ラインデータ１０ａは、具体的には、ゴルフクラブをスイングする人物（以下、撮影対象者という。）を側方から撮影した動画像（以下、側方動画と称す。）に使用する第１の指標と、撮影対象者を正面から撮影した動画像（以下、正面動画と称す。）に使用する第２の指標とを表すデータである。
【００３０】
図２（ａ）は、第１の指標を示した図である。図に示したように第１の指標は、表示部７が有する表示画面Ｇの上下及び左右の各辺に対して互いに異なる角度の傾きを有し、かつ予め決められた位置で交差する第１の斜線１０１と第２の斜線１０２との２本の補助ラインにより構成されるものである。
【００３１】
図２（ｂ）は第２の指標を示した図である。図に示したように第２の指標は、表示部７が有する表示画面Ｇの上下の各辺に平行な互いに離間する第１の横線２０１及び第２の横線２０２と、表示画面Ｇの左右の各辺に平行な互いに離間する第１の縦線３０１及び第２の縦線３０２との４本の補助ラインにより構成されるものである。
【００３２】
そして、プログラム記憶部１０には、ラインデータ１０ａとして、第１の指標と第２の指標とをそれぞれ構成する各補助ライン（１０１，１０２，２０１，２０２，３０１，３０２）の太さ、及び表示画面Ｇに最初に表示すべき位置（初期位置）と、第１の指標を構成する第１の斜線１０１と第２の斜線１０２の傾き角度を示すデータとが格納されている。
【００３３】
一方、基準変移データ１０ｂは、ＣＰＵ８が後述する処理に際して動画像の種類の判断に使用するデータである。判断すべき動画像の種類はゴルフクラブをスイングする撮影対象者を撮影した動画像である前述した側方動画と正面動画であり、基準変移データ１０ｂは、以下に述べる側方動画における被写体の動きの特徴を表す第１の変移データと、正面動画における被写体の動きの特徴を表す第２の変移データである。
【００３４】
図３（ａ）は、第１の変移データ４０１を便宜的に示した概念図である。第１の変移データ４０１は、ゴルフクラブのスイングを開始してからスイングを終了するまでを撮影したサンプル用の側方動画Ｇａ（図は先頭フレームの画像である。）における被写体の動きの特徴を表すデータである。
【００３５】
第１の変移データ４０１は、より具体的には、各フレームの画像から直前のフレームの画像との間の動き量が閾値以上である変移部分をブロック単位で抽出し、抽出した全ての変移部分を同一画面に配置したときの、画面内における変移部分の分布領域の形状を示すデータである。すなわち第１の変移データ４０１は、図に示したように、ゴルフクラブをスイングしたときのクラブヘッドの軌跡に相当する扁平率が大きな楕円形に類似する形状を示すデータである。
【００３６】
図３（ｂ）は、第２の変移データ４０２を便宜的に示した概念図である。第２の変移データ４０２は、ゴルフクラブのスイングを開始してからスイングを終了するまでを撮影したサンプル用の正面動画Ｇｂ（図は先頭フレームの画像である。）における被写体の動きの特徴を表すデータである。
【００３７】
第２の変移データ４０２は、より具体的には、前述したように各フレームの画像から抽出した全ての変移部分を同一画面に配置したときの、画面内における変移部分の分布領域の形状を示すデータである。すなわち第２の変移データ４０２は、図に示したように、ゴルフクラブをスイングしたときのクラブヘッドの軌跡に相当する円形に類似する形状を示すデータである。
【００３８】
一方、操作入力部１１は、シャッターボタンと、ズーム倍率の操作に使用するズームキー、基本となる動作モード（静止画モード、動画モード、再生モード）を設定するためのモード設定ボタン、上下左右の方向を指示する方向キー、セットキー等のスイッチ類から構成される。
【００３９】
方向キー及びセットキーは、表示部７に表示されるメニュー画面を操作してデジタルカメラ１の動作内容の設定や、基本となる動作モードの下位に位置する複数種の動作モードの設定等に使用される。また、方向キー及びセットキーは、前述した第１の指標や第２の指標を構成する各々の補助ラインの位置調整にも使用される。
【００４０】
次に、以上の構成からなるデジタルカメラ１の動作について説明する。図４、及び図５は、ユーザがモード設定ボタンの操作により再生モードを設定した後、外部記憶部１３に記憶されている任意の動画像を選択したとき、ＣＰＵ８が実行する本発明に係る処理を示したフローチャートである。なお、以下の説明においては、ユーザにより選択された動画像が、ゴルフクラブをスイングする撮影対象者を撮影した動画像（側方動画、又は正面動画）であるものとする。
【００４１】
図４に示したようにＣＰＵ８は、動画像が選択されると、直ちに選択された動画像のデータを外部記憶部１３から読み出し（ステップＳ１）、動画データの伸張処理を画像処理部５に行わせるとともに、先頭フレームの画像を表示部７に表示させる（ステップＳ２）。
【００４２】
しかる後、ＣＰＵ８は、ユーザに所定のキー操作による指標の表示、又は動画像の再生のいずれかを指示させ、いずれかが指示されるまでは、先頭フレームの画像を表示した状態を維持する（ステップＳ３：ＮＯ、ステップＳ４：ＮＯ）。
【００４３】
ここで、ＣＰＵ８は、ユーザによって動画像の再生が指示されると（ステップＳ３：ＮＯ、ステップＳ４：ＹＥＳ）、先頭フレームの画像を表示している表示対象の動画像を通常の状態で再生する（ステップＳ５）。つまりＣＰＵ８は、ステップＳ１で読み出した動画データの伸張処理を画像処理部５に行わせ、動画像のみを表示部７に表示させる。そして、ＣＰＵ８は、ステップＳ５の処理で最終フレームの画像を表示した段階で動画再生処理を終了する。
【００４４】
一方、ＣＰＵ８は、先頭フレームの画像を表示部７に表示させている間において、ユーザによって指標の表示が指示されると（ステップＳ３：ＹＥＳ）、表示対象の動画像の特徴を取得する（ステップＳ６）。ステップＳ６の処理において取得する動画像の特徴は、動画像における被写体の動きの特徴であり、ＣＰＵ８は以下のデータを取得する。
【００４５】
すなわちステップＳ６の処理においてＣＰＵ８は、動画データの伸張処理を画像処理部５に行わせるとともに、全てのフレームの画像から先に説明した基準変移データ１０ｂ（第１の変移データ４０１や第２の変移データ４０２）と同様の変移データを取得する。
【００４６】
具体的に説明すると、ＣＰＵ８は、画像処理部５により伸張された各フレームの画像から直前のフレームの画像との間の動き量が閾値以上である変移部分をブロック単位で抽出する。そして、ＣＰＵ８は、抽出した全ての変移部分を同一画面に配置したときの、画面内における変移部分の分布領域の形状を示す変移データを動画像の特徴（被写体の動きの特徴）を示すデータとして取得する。
【００４７】
次に、ＣＰＵ８は、ステップＳ６の処理で取得した変移データに基づいて、表示対象の動画像の種類を判断する（ステップＳ７）。ステップＳ７の処理においてＣＰＵ８は、ステップＳ６の処理で取得した変移データにより示される分布領域の形状が、先に説明した第１の変移データ４０１により示される形状と、第２の変移データ４０２により示される形状とのどちらの形状により近いかを確認する。
【００４８】
そして、ＣＰＵ８は、ステップＳ６の処理で取得した変移データにより示される分布領域の形状が、第１の変移データ４０１により示される形状により近い場合には、表示対象の動画像が側方動画であると判断する。また、ＣＰＵ８は、ステップＳ６の処理で取得した変移データにより示される分布領域の形状が、第２の変移データ４０２により示される形状により近い場合には、表示対象の動画像が正面動画であると判断する。
【００４９】
つまりステップＳ６、及びステップＳ７の処理においてＣＰＵ８は、表示対象の動画像から撮影対象者の動作形態をパターン認識することによって、表示対象の動画像が側方動画と正面動画とのいずれであるかを判断する。
【００５０】
引き続き、ＣＰＵ８は、表示対象の動画像が側方動画であると判断したときには（ステップＳ７：側方動画）、プログラム記憶部１０に記憶されているラインデータ１０ａに基づいて、第１の指標を構成する第１の斜線１０１と第２の斜線１０２との２本の補助ラインを、先頭フレームの画像に重ねて表示部７に表示させる（ステップＳ８）。
【００５１】
図６（ａ）は、側方から撮影された撮影対象者Ｐが表されている側方動画の先頭フレームの画像Ｇｓに、第１の斜線１０１と第２の斜線１０２との２本の補助ラインが表示された状態を示す図である。なお、各々の補助ライン（１０１，１０２）の表示位置は、図２（ａ）に示した初期位置である。
【００５２】
また、ＣＰＵ８は、表示対象の動画像が正面動画であると判断したときには（ステップＳ７：正面動画）、プログラム記憶部１０に記憶されているラインデータ１０ａに基づいて、第２の指標を構成する第１の横線２０１及び第２の横線２０２と、第１の縦線３０１及び第２の縦線３０２との４本の補助ラインを、先頭フレームの画像に重ねて表示部７に表示させる（ステップＳ９）。
【００５３】
図８（ａ）は、正面から撮影された撮影対象者Ｐが表されている正面動画の先頭フレームの画像Ｇｓに、第１の横線２０１及び第２の横線２０２と、第１の縦線３０１及び第２の縦線３０２との４本の補助ラインが表示され状態を示す図である。なお、各々の補助ライン（２０１，２０２，３０１，３０２）の表示位置は、図２（ｂ）に示した初期位置である。
【００５４】
引き続き、ＣＰＵ８は、所定のキー操作によってユーザに補助ラインの位置修正と、動画像の再生のいずれかを指示させる。そして、ＣＰＵ８は、ユーザによって補助ラインの位置修正が指示された場合には（ステップＳ１０：ＹＥＳ）、図５に示したライン位置修正処理を行う（ステップＳ１１）。
【００５５】
ライン位置修正処理において、ＣＰＵ８は、表示対象の動画像が側方動画であれば（ステップＳ１０１：側方動画）、まず、図６（ｂ）に示したように、先頭フレームの画像Ｇｓに重ねて表示している第１の斜線１０１と第２の斜線１０２との交点に、円形の位置合わせマークＭを表示させる（ステップＳ１０２）。
【００５６】
その後、ＣＰＵ８は、所定のキー操作によってユーザから位置決定指示があるまでの間（ステップＳ１０４：ＮＯ）、ユーザによる所定のキー操作に応じて、位置合わせマークＭ、つまり第１の斜線１０１と第２の斜線１０２との交点の位置を、両者の交差角度を維持した状態のままで上下左右に移動させる処理を繰り返す（ステップＳ１０３）。
【００５７】
なお、その間、ユーザには、図７（ａ）に示したように、位置合わせマークＭ（第１の斜線１０１と第２の斜線１０２との交点）の位置をクラブヘッドに重なる位置に調整させる。
【００５８】
引き続き、ＣＰＵ８は、ユーザから位置決定指示があったら（ステップＳ１０４：ＹＥＳ）、所定のキー操作によってユーザから角度決定指示があるまでの間（ステップＳ１０６：ＮＯ）、ユーザによる所定のキー操作に応じて、第１の斜線１０１と第２の斜線１０２との傾き角度を、双方の交差位置を固定したまま個別に変更する処理を繰り返す（ステップＳ１０５）。
【００５９】
なお、その間、ユーザには、図７（ｂ）に示したように、第１の斜線１０１がゴルフクラブのシャフトに略平行となり、かつ第２の斜線１０２が撮影対象者Ｐの首の付け根を通過する状態となるように、第１の斜線１０１と第２の斜線１０２との傾き角度を調整させる。そして、ＣＰＵ８は、ユーザから角度決定指示があったら（ステップＳ１０６：ＹＥＳ）、その時点でライン位置修正処理を終了し、図４のメインフローに戻る。
【００６０】
一方、ライン位置修正処理に際して、ＣＰＵ８は、表示対象の動画像が正面動画であれば（ステップＳ１０１：正面動画）、まず、図８（ｂ）に示したように、先頭フレームの画像Ｇｓに重ねて表示している第１の横線２０１と第１の縦線３０１との交点に、円形の位置合わせマークＭを表示させる（ステップＳ１０７）。
【００６１】
その後、ＣＰＵ８は、所定のキー操作によってユーザから位置決定指示があるまでの間（ステップＳ１０９：ＮＯ）、ユーザによる所定のキー操作に応じて、位置合わせマークＭ、つまり第１の横線２０１と第１の縦線３０１との交点の位置を上下左右に移動させる処理を繰り返す（ステップＳ１０８）。
【００６２】
なお、その間、ユーザには、図９（ａ）に示したように、第１の横線２０１を撮影対象者Ｐの頭頂部に位置させ、かつ第１の縦線３０１を撮影対象者Ｐの右足の外側に位置させるように位置合わせマークＭの位置を調整させる。
【００６３】
引き続き、ＣＰＵ８は、図９（ｂ）に示したように、先頭フレームの画像Ｇｓに重ねて表示している第２の横線２０２と第２の縦線３０２との交点に、円形の位置合わせマークＭを表示させる（ステップＳ１１０）。
【００６４】
その後、ＣＰＵ８は、所定のキー操作によってユーザから位置決定指示が再度あるまでの間（ステップＳ１１２：ＮＯ）、ユーザによる所定のキー操作に応じて、位置合わせマークＭ、つまり第２の横線２０２と第２の縦線３０２との交点の位置を上下左右に移動させる処理を繰り返す（ステップＳ１１１）。
【００６５】
なお、その間、ユーザには、図１０に示したように、第２の横線２０２をゴルフボールに位置させ、かつ第２の縦線３０２を撮影対象者Ｐの左足の外側に位置させるように位置合わせマークＭの位置を調整させる。そして、ＣＰＵ８は、ユーザから位置決定指示があったら（ステップＳ１１２：ＹＥＳ）、その時点でライン位置修正処理を終了し、図４のメインフローに戻る。
【００６６】
しかる後、ＣＰＵ８は、ユーザによって動画像の再生が指示されたら（ステップＳ１２：ＹＥＳ）、表示対象の動画像（側方動画、又は正面動画）を、第１の指標を構成する２本の補助ライン（１０１，１０２）、又は第２の指標を構成する４本の補助ライン（２０１，２０２，３０１，３０２）を表示した状態のままで再生する（ステップＳ１３）。そして、ＣＰＵ８は、ステップＳ１３の処理で最終フレームの画像を表示した段階で動画処理を終了する。
【００６７】
したがって、ユーザにおいては、ゴルフクラブをスイングする撮影対象者（自己、又は他人）を撮影した動画像の再生時には、動画像の再生に先立って指標の表示を指示すれば、撮影対象者におけるゴルフクラブのスイングフォームの確認を容易に行うことができる。
【００６８】
ここで、本実施形態のデジタルカメラ１においては、ユーザによって指標の表示が指示された際には、前述したように表示対象の動画像から撮影対象者の動作形態をパターン認識することによって、表示対象の動画像が側方動画と正面動画とのいずれであるかを判断する。そして、表示対象の動画像が側方動画のときには、自動的に第１の指標を重ねた状態で側方動画を表示し、かつ表示対象の動画像が正面動画のときには、自動的に第２の指標を重ねた状態で正面動画を表示する。
【００６９】
そのため、ユーザにおいては、動画像においてゴルフクラブのスイングフォームを解析する際、動画像に重ねて表示させる指標の種類を自ら選択する必要がない。よって、ユーザが動画像においてゴルフクラブのスイングフォームを解析する際の作業性を向上させることができる。
【００７０】
なお、前述した説明においては、便宜上、先頭フレームの画像が、撮影対象者がアドレス（ボールを打つ体勢）に入った時点の画像であることを前提としたが、実際の動画像においては、先頭フレームの画像が、撮影対象者がアドレスに入る以前の画像である場合もある。
【００７１】
係ることから本発明の実施に際しては、ＣＰＵ８に、例えばステップＳ２の処理で先頭フレームの画像を表示した後、以下の処理を行わせる構成を採用することが望ましい。すなわち、ＣＰＵ８には、ユーザから指標の表示指示がある以前に表示対象のフレームの送り操作が行われた場合には、送り操作が行われている間だけ動画像の再生（表示）を行うことによって、ユーザに撮影対象者がアドレスに入った時点のフレーム画像を手動で表示させる処理を行わせることが望ましい。
【００７２】
また、本実施形態においては、動画像に重ねて表示する指標が複数の補助ラインによって構成されるものである場合について説明したが、動画像に重ねて表示する指標は、例えば１本の補助ラインで構成されるものでも構わない。また、指標を１又は複数の補助ラインで構成する場合、補助ラインの形態については任意であり、直線に限らず曲線等でもよいし、破線等であっても構わない。
【００７３】
さらに、動画像に重ねて表示する指標は、動画像に重ねて表示できるもの、つまり二次元情報であれば必ずしも線画である必要はなく、任意の二次元情報に変更することができる。
【００７４】
また、本実施形態においては、動画像に重ねて表示する指標がゴルフクラブのスイングフォームの解析に供するものである場合について説明した。しかし、動画像に重ねて表示する指標は、予め決められている特定の動作の解析に供するものであればよく、例えば野球の投球フォームや、バットのスイングフォーム等の他の動作の解析に供するものであっても構わない。その場合、動画像に重ねて表示する指標の具体的な構成は、解析すべき動作の種類に適したものに変更すればよい。
【００７５】
また、本実施形態においては、動画像に重ねて表示する指標が、ゴルフクラブをスイングする人物を側方から撮影した側方動画に使用する第１の指標と、その人物を正面から撮影した正面動画に使用する第２の指標とである場合について説明した。しかし、本発明の実施に際しては、撮影対象者における異なる種類の動作の解析に供する複数種の指標を予め用意しておき、動画像における撮影対象者の動作の種類に応じた指標を動画像に重ねて表示する構成を採用しても構わない。
【００７６】
その場合には、ＣＰＵ８に、表示対象の動画像から撮影対象者の動作形態をパターン認識することによって動作の種類を判断し、動作の種類に応じた種類の指標を自動的に動画像に重ねて表示させる処理を行わせればよい。
【００７７】
また、実施形態においては、本発明を動画像の撮影が可能なデジタルカメラに適用した場合について説明した。しかし、本発明は、予め記録されている動画像を再生する機能を備えた装置であれば、動画像の撮影機能を有していないパーソナルコンピュータや、携帯電話端末、さらに、近年、主としてデジタルカメラで撮影された写真を表示するために使用されているデジタルフォトフレーム等の他の装置にも適用することができる。
【符号の説明】
【００７８】
１    デジタルカメラ
２    撮影光学系
３    撮像部
４    ＣＤＳ／ＡＤＣ
５    画像処理部
６    ドライバ
７    表示部
８    ＣＰＵ
９    ワークメモリ
１０    プログラム記憶部
１０ａ    ラインデータ
１０ｂ    基準変移データ
１１    操作入力部
１２    外部Ｉ／Ｆ
１３    外部記憶部
【図１】
0005533241.tif 000002
【図２】
0005533241.tif 000003
【図３】
0005533241.tif 000004
【図４】
0005533241.tif 000005
【図５】
0005533241.tif 000006
【図６】
0005533241.tif 000007
【図７】
0005533241.tif 000008
【図８】
0005533241.tif 000009
【図９】
0005533241.tif 000010
【図１０】
0005533241.tif 000011